(57)【要約】【課題】レンズ交換可能なデジタルカメラにおいて、交換レンズのレンズ構成や動作を視認可能で興趣性が高く、所有する複数の交換レンズを使いもらすことなく的確に使い分け可能なデジタルカメラおよびプログラムを提供することを目的とする。【解決手段】本発明にかかるデジタルカメラ１００は、デジタルカメラ１００に装着される、１つ以上の構成レンズ１０２Ａ〜１０２Ｆから成る交換レンズ１０２が有するレンズＲＯＭ１０６から、交換レンズ１０２に固有のレンズ情報を読み出すレンズ情報読出部１０８と、読み出されたレンズ情報に基づいて、構成レンズ１０２Ａ〜１０２ＦをＬＣＤ３８０に表示する表示制御部１１０と、を備えることを特徴とする。【選択図】図１
2010181725.tif 000002
【特許請求の範囲】
【請求項１】
デジタルカメラに装着される、１つ以上の構成レンズから成る交換レンズが有するメモリから、該交換レンズに固有のレンズ情報を読み出すレンズ情報読出部と、
前記読み出されたレンズ情報に基づいて、前記１つ以上の構成レンズを表示装置に表示する表示制御部と、
を備えることを特徴とするデジタルカメラ。
【請求項２】
請求項１に記載のデジタルカメラにおいて、
前記レンズ情報には構成レンズの外観を示すレンズ画像データが含まれ、
前記表示制御部は、前記１つ以上の構成レンズの画像を識別可能に表示することを特徴とするデジタルカメラ。
【請求項３】
請求項１または２に記載のデジタルカメラにおいて、
前記レンズ情報には構成レンズの種類が含まれ、
前記表示制御部は、前記１つ以上の構成レンズの種類に基づくレンズ構成を識別可能に表示することを特徴とするデジタルカメラ。
【請求項４】
デジタルカメラに装着される、１つ以上の構成レンズから成る交換レンズが有するメモリから、該交換レンズに固有のレンズ情報を読み出すレンズ情報読出部と、
前記読み出されたレンズ情報に基づいて、前記１つ以上の構成レンズを表示装置に表示する表示制御部と、
ユーザが所有する交換レンズの焦点距離および型名を含む所有交換レンズリストを記録する記録部と、
を備え、
前記レンズ情報には焦点距離および型名が含まれ、
前記レンズ情報読出部は、新たな交換レンズが当該デジタルカメラに装着されると、該交換レンズのレンズ情報のうち少なくとも焦点距離および型名を前記所有交換レンズリストに追加記録し、
当該デジタルカメラはさらに、
現在装着されている第１の交換レンズの焦点距離が、前記所有交換レンズリストに含まれる他の交換レンズの焦点距離と重複するか否かを検出する焦点距離重複検出部を備え、
前記表示制御部は、第１の交換レンズと重複する焦点距離を有する第２の交換レンズの型名を、第１の交換レンズと交換可能な交換レンズとして表示することを特徴とするデジタルカメラ。
【請求項５】
請求項４に記載のデジタルカメラにおいて、さらに、
前記第１および第２の交換レンズのうち、いずれの交換レンズを使用すべきかを所定の基準で判定するレンズ良否判定部を備え、
前記表示制御部は、前記判定された交換レンズの型名を、使用すべき交換レンズとして表示することを特徴とするデジタルカメラ。
【請求項６】
請求項１から５のいずれか１項に記載のデジタルカメラにおいて、当該デジタルカメラの電源ＯＮ時、新たな交換レンズの装着時、およびシャッタレリーズボタン半押し時から選択される１つ以上のタイミングで、前記表示制御部による表示が行われることを特徴とするデジタルカメラ。
【請求項７】
請求項１から６のいずれか１項に記載のデジタルカメラにおいて、
前記１つ以上の構成レンズの位置を検出するレンズ位置検出部をさらに備え、
前記表示制御部は、前記検出された位置に基づいて、前記１つ以上の構成レンズの画像を表示装置に表示することを特徴とするデジタルカメラ。
【請求項８】
請求項７に記載のデジタルカメラにおいて、
前記表示制御部は、前記１つ以上の構成レンズの動きに実質的に同期して、前記表示される１つ以上の構成レンズの画像を動かすことを特徴とするデジタルカメラ。
【請求項９】
請求項１から８のいずれか１項に記載のデジタルカメラにおいて、さらに、
前記表示されるいずれかの構成レンズを選択するＧＵＩ（Graphical User Interface）によってユーザに選択させるレンズ選択部を備え、
前記表示制御部は、前記選択された構成レンズのレンズ情報を識別可能に表示することを特徴とするデジタルカメラ。
【請求項１０】
請求項９に記載のデジタルカメラにおいて、
前記表示制御部は、前記選択された構成レンズのレンズ情報を、該構成レンズのレンズ画像データとテキスト情報とが交互に現れるように表示することを特徴とするデジタルカメラ。
【請求項１１】
請求項１から１０のいずれか１項に記載のデジタルカメラにおいて、さらに、
撮像された画像の画像ファイルに、該撮像に使用された交換レンズのレンズ情報を書き込むレンズ情報書込部を備えることを特徴とするデジタルカメラ。
【請求項１２】
画像ファイルに含まれる、該画像の撮像に使用された、１つ以上の構成レンズから成る交換レンズの少なくとも型名を含むレンズ情報を読み取る画像ファイル読取部と、
複数の交換レンズの型名と構成レンズの外観を示すレンズ画像データとを対応させて記録する記録部と、
前記記録部を参照して、前記読み取られた型名に対応する交換レンズの画像を、表示装置に表示する表示制御部として画像再生装置を機能させることを特徴とするプログラム。
【請求項１３】
画像ファイルに含まれる、該画像の撮像に使用された、１つ以上の構成レンズから成る交換レンズの少なくとも型名を含むレンズ情報を読み取る画像ファイル読取部と、
複数の交換レンズの型名と構成レンズの外観を示すレンズ画像データとを対応させて記録する、通信ネットワーク上のサーバから、前記読み取られた型名に対応する交換レンズのレンズ画像データを取得するレンズ画像データ取得部と、
前記読み取られた型名に対応する交換レンズの画像を表示装置に表示する表示制御部として画像再生装置を機能させることを特徴とするプログラム。
【発明の詳細な説明】
【技術分野】
【０００１】
本発明は、レンズ交換可能なデジタルカメラ、および、画像再生装置で実行されるプログラムに関するものである。
【背景技術】
【０００２】
デジタル一眼レフカメラに代表される、レンズ交換可能なデジタルカメラ用の様々な交換レンズが流通している。
【０００３】
交換レンズには、焦点距離、明るさ（Ｆナンバー）、手ブレ補正機構の有無など、様々な特性がある。しかし、交換レンズの型名は焦点距離に基づいて与えられていることが多く、明るさや手ブレ補正機構の有無などの特性が相異する交換レンズ同士であっても、類似した型名が付けられ、区別しにくい。
【０００４】
そこで、例えば特許文献１には、デジタルカメラに装着したレンズ装置から取得した焦点距離や画角などのレンズ情報を表示する、レンズ情報表示装置が開示されている。
【先行技術文献】
【特許文献】
【０００５】
【特許文献１】特開２００３−１０１８３５号公報
【発明の概要】
【発明が解決しようとする課題】
【０００６】
しかし、ユーザが複数の交換レンズを有している場合、使用中の交換レンズと焦点距離が重複していて、しかも、より描写性能の高い別の交換レンズを所有しているにも拘らず、それを所有していることを忘れてしまっていることがある。たとえ忘れていなくても、別の交換レンズの焦点距離が、使用中の交換レンズのそれと重複していることや、別の交換レンズのほうが描写性能が高いことまで覚えておくことは困難である。その結果、描写性能の高い交換レンズを使用する機会を逃してしまう問題があった。
【０００７】
また、交換レンズがズームレンズである場合、ズームレンズに用いられるズーミングは、カタログ等で文章として説明が記載されているが、ズーミングの実際の動きが理解しにくい。
【０００８】
そして、特許文献１に記載の技術で提供されるのは、撮影に必要な情報表示であり、他の交換レンズとの交換可能性を提示したり、ズームレンズの動きをユーザに示したりする機能を有するものではない。
【０００９】
本発明はこのような課題に鑑み、レンズ交換可能なデジタルカメラにおいて、交換レンズのレンズ構成や動作を視認可能で興趣性が高く、所有する複数の交換レンズを使いもらすことなく的確に使い分け可能なデジタルカメラおよびプログラムを提供することを目的としている。
【課題を解決するための手段】
【００１０】
上記課題を解決するために、本発明にかかるデジタルカメラの代表的な構成は、デジタルカメラに装着される、１つ以上の構成レンズから成る交換レンズが有するメモリから、交換レンズに固有のレンズ情報を読み出すレンズ情報読出部と、読み出されたレンズ情報に基づいて、上記の１つ以上の構成レンズを表示装置に表示する表示制御部と、を備えることを特徴とする。
【００１１】
上記の構成によれば、ユーザは、デジタルカメラに装着中の交換レンズのレンズ情報を視認可能であり、ユーザの興趣を高められる。
【００１２】
上記のレンズ情報には、交換レンズおよび構成レンズの外観を示すレンズ画像データが含まれ、表示制御部は、上記の１つ以上の構成レンズの画像を識別可能に表示してよい。かかる構成によれば、ユーザは、各構成レンズを、グラフィック表示されたレンズ形状に基づいて識別することもでき、さらにユーザの興趣を高められる。
【００１３】
上記のレンズ情報には構成レンズの種類が含まれ、表示制御部は、上記の１つ以上の構成レンズの種類に基づくレンズ構成を識別可能に表示してよい。かかる構成によれば、ユーザは、構成レンズの種類に基づくレンズ構成を明確に識別でき、これによっても興趣性を高めることができる。
【００１４】
上記課題を解決するために、本発明にかかるデジタルカメラの他の代表的な構成は、デジタルカメラに装着される、１つ以上の構成レンズから成る交換レンズが有するメモリから、交換レンズに固有のレンズ情報を読み出すレンズ情報読出部と、読み出されたレンズ情報に基づいて、１つ以上の構成レンズを表示装置に表示する表示制御部と、ユーザが所有する交換レンズの焦点距離および型名を含む所有交換レンズリストを記録する記録部と、を備え、上記のレンズ情報には焦点距離および型名が含まれ、レンズ情報読出部は、新たな交換レンズが当該デジタルカメラに装着されると、交換レンズのレンズ情報のうち少なくとも焦点距離および型名を所有交換レンズリストに追加記録し、当該デジタルカメラはさらに、現在装着されている第１の交換レンズの焦点距離が、所有交換レンズリストに含まれる他の交換レンズの焦点距離と重複するか否かを検出する焦点距離重複検出部を備え、表示制御部は、第１の交換レンズと重複する焦点距離を有する第２の交換レンズの型名を、第１の交換レンズと交換可能な交換レンズとして表示してよい。
【００１５】
上記の構成によれば、一旦デジタルカメラに装着された交換レンズは、その焦点距離および型名が所有交換レンズリストに自動的に登録される。そのため、ユーザは、視認したレンズ情報に基づき、自己が所有している他の交換レンズの使用を検討できる。つまり、自己が所有している交換レンズの型名や焦点距離を自ら記憶しておかなくとも、現在装着されている交換レンズと交換可能な他の交換レンズ（焦点距離が重複している交換レンズ）を、使いもらすことがなくなる。
【００１６】
上記のデジタルカメラは、さらに、第１および第２の交換レンズのうち、いずれの交換レンズを使用すべきかを所定の基準で判定するレンズ良否判定部を備え、表示制御部は、判定された交換レンズの型名を、使用すべき交換レンズとして表示してよい。
【００１７】
上記の構成によれば、ユーザに、交換可能な交換レンズを知らせることができるだけでなく、その交換レンズを使用すべきか否かの判断も提供できる。
【００１８】
上記のデジタルカメラは、電源ＯＮ時、新たな交換レンズの装着時、およびシャッタレリーズボタン半押し時から選択される１つ以上のタイミングで、上記の表示制御部による表示が行われることとしてよい。これらの操作を行うタイミングから間もなく撮影が行われることが多いため、装着中の交換レンズのレンズ情報をタイムリーにユーザに示すことができるからである。
【００１９】
上記のデジタルカメラは、上記の１つ以上の構成レンズの位置を検出するレンズ位置検出部をさらに備え、表示制御部は、検出された位置に基づいて、上記の１つ以上の構成レンズの画像を表示装置に表示してよい。かかる構成によれば、ユーザは、構成レンズの位置関係を視認でき、さらに興趣性を高めることができる。
【００２０】
上記の表示制御部は、上記の１つ以上の構成レンズの動きに実質的に同期して、表示される上記の１つ以上のレンズの画像を動かしてよい。
【００２１】
上記の構成によれば、ユーザは、交換レンズがズームレンズである場合に、構成レンズの動きをリアルタイムに視認でき、さらに興趣性を高めることができる。また、デジタルカメラの仕組みに精通していないユーザにとっては、かかる構成レンズの動きの視認によって、ズーミングがいかなる構成レンズの動きによって実現されるかなど、デジタルカメラの仕組みの理解を深めることができる。
【００２２】
上記のデジタルカメラはさらに、表示されるいずれかの構成レンズを選択するＧＵＩ（Graphical User Interface）によってユーザに選択させるレンズ選択部を備え、表示制御部は、選択された構成レンズのレンズ情報を識別可能に表示してよい。かかる構成によれば、ユーザは、ポインティングデバイスのカーソルなど、ＧＵＩを用いて構成レンズを選択でき、注目している構成レンズのレンズ情報をピックアップして視認可能である。
【００２３】
上記の表示制御部は、選択された構成レンズのレンズ情報を、構成レンズのレンズ画像データとテキスト情報とが交互に現れるように表示してよい。かかる構成によれば、仮にテキスト情報が多く、表示するだけのスペースが表示装置に不足していても、レンズ画像と交互に表示することによって、構成レンズのレンズ画像およびテキスト情報の両方をすべて表示可能である。
【００２４】
上記のデジタルカメラは、さらに、撮像された画像の画像ファイルに、撮像に使用された交換レンズのレンズ情報を書き込むレンズ情報書込部を備えてもよい。かかる構成によれば、デジタルカメラで撮像した後に画像ファイルをコンピュータ等で鑑賞する場合に、その画像の撮像に使用した交換レンズのレンズ情報を併せて視認でき、興趣性を高めることができる。
【００２５】
上記課題を解決するために、本発明にかかるプログラムの代表的な構成は、画像ファイルに含まれる、画像の撮像に使用された、１つ以上の構成レンズから成る交換レンズの少なくとも型名を含むレンズ情報を読み取る画像ファイル読取部と、複数の交換レンズの型名と、交換レンズおよび構成レンズの外観を示すレンズ画像データとを対応させて記録する記録部と、記録部を参照して、読み取られた型名に対応する交換レンズの画像を、表示装置に表示する表示制御部として画像再生装置を機能させることを特徴とする。
【００２６】
上記の構成によれば、デジタルカメラで撮像した後に画像ファイルをコンピュータ等の画像再生装置で鑑賞する場合に、その画像の撮像に使用した交換レンズの画像をコンピュータ上で併せて視認でき、興趣性を高めることができる。
【００２７】
上記課題を解決するために、本発明にかかるプログラムの他の構成は、画像ファイルに含まれる、画像の撮像に使用された、１つ以上の構成レンズから成る交換レンズの少なくとも型名を含むレンズ情報を読み取る画像ファイル読取部と、複数の交換レンズの型名と、交換レンズおよび構成レンズの外観を示すレンズ画像データとを対応させて記録する、通信ネットワーク上のサーバから、読み取られた型名に対応する交換レンズのレンズ画像データを取得するレンズ画像データ取得部と、上記の読み取られた型名に対応する交換レンズの画像を表示装置に表示する表示制御部として画像再生装置を機能させることを特徴とする。
【００２８】
上記の構成によっても、デジタルカメラで撮像した後に画像ファイルをコンピュータ等の画像再生装置で鑑賞する場合に、その画像の撮像に使用した交換レンズの画像をサーバから取得することで、コンピュータ上で併せて視認でき、興趣性を高めることができる。
【発明の効果】
【００２９】
本発明によれば、レンズ交換可能なデジタルカメラにおいて、交換レンズのレンズ構成や動作を視認可能で興趣性が高く、所有する複数の交換レンズを使いもらすことなく的確に使い分け可能なデジタルカメラおよびプログラムを提供することが可能である。
【図面の簡単な説明】
【００３０】
【図１】本発明の第１の実施形態を示すデジタルカメラのブロック図である。
【図２】図１の交換レンズをより詳細に表すブロック図である。
【図３】図１のＬＣＤに表示されるレンズ情報を示す模式図である。
【図４】図１のＲＡＭが記録する所有交換レンズリストを例示する図である。
【図５】図１のＬＣＤに表示される、交換可能な他の交換レンズのレンズ情報を示す図である。
【図６】図５に示した交換可能な交換レンズを装着した時に図１のＬＣＤに表示されるレンズ情報を例示する図である。レンズ交換の是非の判定結果を示す図である。
【図７】図１のＬＣＤに表示される、リアルタイムのレンズの動きを示す図である。
【図８】図１のＬＣＤに表示される、ＧＵＩを示す図である。
【図９】本発明の第２の本実施形態であるプログラムを読み取り、実行するコンピュータのブロック図である。
【図１０】本発明の第３の実施形態であるプログラムを読み取り、実行するコンピュータを含めたレンズ情報表示システムの構成図である。
【発明を実施するための形態】
【００３１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００３２】
（第１の実施形態：デジタルカメラ）
図１は、本発明の第１の実施形態を示すデジタルカメラのブロック図であり、図２は図１の交換レンズの一例を詳細に表すブロック図である。デジタルカメラ１００は、当該デジタルカメラ１００に装着される、構成レンズ１０２Ａ〜１０２Ｆから成る交換レンズ１０２を備える。本文では構成レンズの数は簡単のため上記の６つ（６枚）までしか示していないが、自由に増減させてよく、本実施形態でも、実際には十数枚におよんでいる。
【００３３】
（交換レンズ）
図２に例示するように、交換レンズ１０２には、交換レンズ１０２全体を制御するマイクロプロセッサ１０４と、メモリとしてのレンズＲＯＭ（Read Only Memory）１０６と、構成レンズ１０２Ａ〜１０２Ｆを駆動してズーミングを行わせる超音波モータ１０７とが備えられている。
【００３４】
レンズＲＯＭ１０６には、交換レンズ１０２および構成レンズ１０２Ａ〜１０２Ｆの外観を示すレンズ画像データが記録されている。レンズ画像データは、例えば、後述の図３に示すような、各構成レンズ１０２Ａ〜１０２Ｆを側方から見た輪郭形状の２値ビットマップ画像としてよく、並べて表示された構成レンズ１０２Ａ〜１０２Ｆの大きさや形状が識別可能な程度に表現されているものであればよい。
【００３５】
図１のデジタルカメラ１００は、図２の交換レンズ１０２が有するレンズＲＯＭ１０６から、交換レンズ１０２に固有のレンズ情報を、信号線１１１を介して読み出すレンズ情報読出部１０８と、読み出されたレンズ情報に基づいて、構成レンズ１０２Ａ〜１０２ＦをＬＣＤ（Liquid Crystal Display）３８０に表示する表示制御部１１０と、を備える。
【００３６】
（レンズ情報、レンズ位置の表示）
図３は図１のＬＣＤに表示されるレンズ情報を示す模式図である。図３（ａ）は実際にＬＣＤ３８０にグラフィック表示・テキスト表示されるレンズ情報を示す。本実施形態では、表示されるレンズ情報には、少なくとも、交換レンズ１０２のレンズ画像データ、交換レンズ１０２を構成する構成レンズの種類（ＥＤレンズ（Extra-low Dispersion lens）その他）、（可能な）焦点距離、現在の焦点距離および型名を含む。表示されるレンズ情報には、その他、図示するＦナンバーなど、レンズに関するいかなる情報を含めてもよい。図３（ｂ）はレンズ情報読出部１０８によって読み出され、ＲＡＭ（Random Access Memory）２６０に保存されるレンズ情報（実際は構成レンズ１０２のレンズ画像データも含まれるが、図からは除外している）を示す。
【００３７】
なお、レンズＲＯＭ３５０に含まれるレンズ情報は、型名程度としてもよく、レンズ画像データ等は、当初から、デジタルカメラ１００本体内のＲＯＭ３５０に記録しておいてもよい。その場合、ＲＯＭ３５０は、新しい交換レンズが発売されたときに、メーカのサーバ等にアクセスすることによってアップデートする必要がある。
【００３８】
図３（ａ）（ｂ）に示すように、構成レンズの種類には、例えばＥＤレンズ、非球面レンズ（ＡＳ：Aspherical Lens）、スーパーＥＤレンズなどがある。これらは、図３（ａ）に示すようにハッチングによって区別して表示してもよいし、色分け表示してもよい。図３（ｂ）に示すように、構成レンズは手ブレ補正機構（ＶＲ：Vibration Reduction）の有無によっても分類される。図３（ｃ）は、図３（ｂ）に示す各構成レンズの形状を決定する各種数値、すなわち直径、中心厚、曲率１、曲率２を説明する図である。
【００３９】
デジタルカメラ１００は、構成レンズ１０２Ａ〜１０２Ｆの位置（像面からの距離）を検出するレンズ位置検出部１１２をさらに備える。表示制御部１１０は、検出されたレンズ位置、すなわち像面からの距離に基づいて、各構成レンズ１０２Ａ〜１０２Ｆを順番に並べてグラフィック表示している。
【００４０】
図３（ａ）に示すように、デジタルカメラ１００に装着中の交換レンズ１０２のレンズ画像をはじめとするレンズ情報をＬＣＤ３８０に表示することで、ユーザは、構成レンズ１０２Ａ〜１０２Ｆを、グラフィック表示されたレンズ形状に基づいて識別可能である。
【００４１】
またユーザは、図３（ａ）にグラフィック表示された交換レンズ１０２のレンズ画像により、構成レンズ１０２Ａ〜１０２Ｆの位置関係を視認できる。
【００４２】
このようにレンズ情報やレンズの位置関係をユーザに示すことによって、ユーザは、現在のレンズ構成を知ることができ、ユーザの興趣を高められる。
【００４３】
本実施形態では構成レンズ１０２Ａ〜１０２Ｆの形状を忠実に再現して表示しているが、構成レンズ同士の位置関係だけを知りたい場合には、構成レンズ１０２Ａ〜１０２Ｆを単純なブロックの画像で表示し、位置関係だけを示してもよい。
【００４４】
本実施形態では、交換レンズ１０２のレンズ画像データがレンズＲＯＭ１０６に予め用意されている。しかしレンズＲＯＭ１０６にあわせて記録されている、図３（ｂ）のような、個々の構成レンズ１０２Ａ〜１０２Ｆの直径、中心厚、曲率などのレンズ情報を用いれば、図３（ｃ）のようにレンズ形状を特定できる。したがって、仮にレンズ画像データが用意されていなくとも、表示制御部１１０が交換レンズ１０２のレンズ画像をＬＣＤ３８０に描画することは可能である。
【００４５】
（交換レンズの検出）
図４は図１のＲＡＭ２６０に記録される所有交換レンズリスト２７０を例示する図である。所有交換レンズリスト２７０は、ユーザが所有する交換レンズの焦点距離および型名を含むリストである。レンズ情報読出部１０８は、新たな交換レンズがデジタルカメラ１００に装着されると、その交換レンズのレンズ情報のうち少なくとも焦点距離および型名を所有交換レンズリスト２７０に追加記録する（本実施形態ではＦナンバーも記録）。この所有交換レンズリスト２７０には、そのレンズを取り外した後にも、つまりその交換レンズが現在デジタルカメラ１００に装着されていなくても、焦点距離および型名が所有交換レンズとして記録される。
【００４６】
言い換えれば、図３のレンズ情報は、必ず、図４の所有交換レンズリスト２７０に含まれている、いずれかの交換レンズのレンズ情報である。ただし、図３のレンズ情報（レンズＲＯＭ１０６に記録されている）のほうが、図４の焦点距離、型名およびＦナンバーだけの所有交換レンズリスト２７０より詳細である。これは以下の理由による。すなわち、所有交換レンズリスト２７０としては、少なくとも焦点距離と型名だけを記録しておけば、所有している別の交換レンズの存在を検出するという目的を十分に達成できるからである。一方、図３のレンズ情報は、現在装着中の交換レンズ（例えば交換レンズ１０２）のレンズＲＯＭ１０６から読み出されるものであり、所有交換レンズリスト２７０に含めておく必要がない。また、不要な情報を所有交換レンズリスト２７０に含めないことで、ＲＡＭ２６０の記録容量も節約できる。
【００４７】
デジタルカメラ１００は、図１に示すように、さらに、現在装着されている交換レンズ１０２の焦点距離が、所有交換レンズリスト２７０に含まれる他の交換レンズの焦点距離と重複するか否かを検出する焦点距離重複検出部１１４を備える。
【００４８】
図５は図１のＬＣＤ３８０に表示される、交換可能な他の交換レンズのレンズ情報を示す模式図である。表示制御部１１０は、現在装着されている交換レンズ１０２と重複する焦点距離を有する、例えば交換レンズ１０３、１０５の型名（ＡＦＥＤ８０−２００Ｇ、ＡＦＤＣ１３５２Ｄ）を、交換レンズ１０２と交換可能なレンズとして表示する。
【００４９】
一旦デジタルカメラ１００に装着された交換レンズは、その焦点距離および型名が図４の所有交換レンズリスト２７０に自動的に登録される。そのため、ユーザは、視認したレンズ情報に基づき、自己が所有している他の交換レンズの使用を検討できる。つまり、自己が所有している別の交換レンズ１０３、１０５の型名や焦点距離を自ら記憶しておかなくとも、現在装着されている交換レンズ１０２と交換可能なそれら別の交換レンズの存在を知ることができ、それらを使いもらすことがなくなる。
【００５０】
（レンズ良否判定）
デジタルカメラ１００は、図１に示すように、さらに、交換レンズ１０２、１０３、１０５のうち、いずれのレンズを使用すべきかを所定の基準で判定するレンズ良否判定部１１６を備える。
【００５１】
交換レンズを大別すると、焦点距離が調節可能なズームレンズ（交換レンズ１０２、１０３）と、焦点距離が固定されている単焦点レンズ（交換レンズ１０５）とに分類される。一般的に、焦点距離が重複している場合、描写性能は、ズームレンズより単焦点レンズのほうが優れている。したがって、装着中のものがズームレンズであり、所有交換レンズリスト２７０にあるものが単焦点レンズである場合、レンズ良否判定部１１６は後者に交換すべきと判定する。また、ズームレンズ同士の焦点距離が重複している場合には、明るさ（Ｆナンバー）や手ブレ補正機構の有無などに基づいて、良否を判定してもよい。
【００５２】
図５には、例えば「可能」「推奨」のように、レンズ交換の是非の判定結果も示されている。レンズ良否判定部１１６は、単焦点レンズであり、Ｆ値も小さくて明るい交換レンズ１０５に交換すべきと判定する。したがって、表示制御部１１０は、交換レンズ１０５の型名「ＡＦＤＣ１３５２Ｄ」の傍らに「推奨」の文字を表示し、使用すべきレンズとして表示する。
【００５３】
このように、ユーザに、交換可能な交換レンズ１０３、１０５を知らせることができるだけでなく、それらの交換レンズ１０３、１０５を使用すべきか否かの判断も提供できる。
【００５４】
（レンズ情報表示タイミング）
本実施形態のデジタルカメラ１００では、電源ＯＮ時（電源ボタン３３０Ａの押下時）、新たな交換レンズの装着時、およびシャッタレリーズボタン３３０Ｃの半押し時から選択される１つ以上のタイミングで、上記の表示制御部１１０による表示が行われる。これらの操作を行うタイミングから間もなく撮影が行われることが多いため、装着中の交換レンズ１０２のレンズ情報や、交換レンズ１０２と交換可能な交換レンズ１０３、１０５を、ユーザにタイムリーに示すことができるからである。
【００５５】
図６は図５に示した交換可能な交換レンズを装着した時に図１のＬＣＤに表示されるレンズ情報を例示する図である。図６（ａ）は交換レンズ１０３を装着した場合に表示されるレンズ情報であり、図６（ｂ）は交換レンズ１０５を装着した場合に表示されるレンズ情報である。
【００５６】
なお、デジタルカメラ１００がデジタル一眼レフカメラの場合、ユーザは撮影時にファインダ４００を覗いているので、ＬＣＤ３８０に代えてファインダ４００にレンズ情報を表示してよい。ファインダ４００の場合、表示できるスペースが限定されているため、レンズ情報のうち、予め設定されたものだけを表示してよい。
【００５７】
（リアルタイムにレンズの動きを表示）
図７は図１のＬＣＤに表示される、リアルタイムのレンズの動きを示す図である。ズームレンズである交換レンズ１０２を用いて説明すると、構成レンズ１０２Ａ〜１０２Ｆの動きに実質的に同期して、表示される構成レンズ１０２Ａ〜１０２Ｆの画像が動く。図７では構成レンズ１０２Ｆを含む一連の構成レンズが、矢印１１７で示すように移動する様子を示している。これは、レンズ位置検出部１１２が検出する構成レンズ１０２Ａ〜１０２Ｆの位置をリアルタイムに表示制御部１１０がグラフィック表示することで実現される。
【００５８】
これにより、ユーザは、交換レンズがズームレンズである場合にズーミング操作を行うと、各構成レンズが動くのと同時に、各構成レンズの動きをリアルタイムに視認でき、さらに興趣性を高めることができる。また、デジタルカメラ１００の仕組みに精通していないユーザにとっては、かかる構成レンズ１０２Ａ〜１０２Ｆの動きの視認によって、ズーミングがいかなるレンズの動きによって実現されるかなど、デジタルカメラの仕組みの理解を深めることができる。
【００５９】
（ＧＵＩ）
図８は図１のＬＣＤに表示される、ＧＵＩを示す図である。デジタルカメラ１００はさらに、表示される構成レンズ１０２Ａ〜１０２Ｆのうち、いずれかのレンズを選択するＧＵＩによってユーザに選択させるレンズ選択部１１８を備える。ユーザは操作ボタン３３０Ｂに含まれる、例えば十字キーを操作して、任意の構成レンズ、例えば図８（ａ）に示すように構成レンズ１０２Ｂをハイライトさせ、選択キーを押すことで、選択可能である。これにより、表示制御部１１０は、図８（ｂ）に示すように、選択された構成レンズ１０２Ｂのレンズ情報を識別可能に表示する。
【００６０】
上記の構成によれば、ユーザは、各種操作ボタン３３０Ｂで操作され、グラフィック表示された画像を直接選択できるカーソルなどのＧＵＩを用いて、任意の構成レンズを選択でき、注目している構成レンズのレンズ情報をピックアップして視認可能である。
【００６１】
（レンズ画像とテキスト情報の交互表示）
表示制御部１１０は、選択された構成レンズ（例えば構成レンズ１０２Ｂ）のレンズ情報を、その構成レンズのレンズ画像データとテキスト情報とが交互に現れるように表示することもできる。その場合、ＬＣＤ３８０には、図８（ａ）および図８（ｂ）が交互に表示される。
【００６２】
上記の構成によれば、ファインダ４００にレンズ情報を表示する場合や、テキスト情報が多くて表示するだけのスペースがＬＣＤ３８０に不足している場合などにおいても、レンズ画像と交互に表示することによって、レンズ画像およびテキスト情報の両方をすべて表示可能である。また、テキスト情報がＬＣＤ３８０やファインダ４００の一画面に収まりきらない場合であっても、さらに表示のタイミングをずらしてスライドショーとして表示すれば、すべてのレンズ情報をユーザは視認可能である。
【００６３】
デジタルカメラ１００は、図１に示すように、さらに、撮像された画像の画像ファイルに、撮像に使用された交換レンズ１０２のレンズ情報を書き込むレンズ情報書込部１２０を備える。
【００６４】
上記の構成によれば、デジタルカメラ１００で撮像した後に画像ファイルをコンピュータ５００等で鑑賞する場合に、その画像の撮像に使用した交換レンズのレンズ情報を併せて視認でき、興趣性を高めることができる。
【００６５】
（デジタルカメラ内部構成）
図２を用いて、デジタルカメラのその他の内部構成について、以下、説明する。撮像部２２０はＣＣＤ（Charge Coupled Device; 電荷結合素子）としてよく、被写界を撮像して電子的な画像信号を生成する撮像手段であり、例えば１６００×１２００個の画素を有する。撮像部２２０は、交換レンズ１０２の構成レンズ１０２Ａ〜１０２Ｆによって結像された被写体の光像を、画素毎にＲ（赤）、Ｇ（緑）、Ｂ（青）の色成分の画像信号（各画素で受光された画素信号の信号列からなる信号）に光電変換して出力する。
【００６６】
撮像部２２０から得られる画像信号（アナログ信号）は、アナログ信号処理回路２３０に与えられる。アナログ信号処理回路２３０は、画像信号に対して所定のアナログ信号処理を行う回路である。アナログ信号処理回路２３０は、少なくとも相関二重サンプリング回路（Correlated Double Sampling：ＣＤＳ。図示省略）およびオートゲインコントロール（Auto Gain Controlled：ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００６７】
Ａ／Ｄ変換器２４０は、画像信号の各画素信号を、例えば１２ビットのデジタル信号に変換する。変換後のデジタル信号は、中央処理装置（ＣＰＵ: Central Processing Unit）２５０に与えられ、画像データとして一時的にＲＡＭ（Random Access Memory）２６０内に格納される。ＲＡＭ２６０に保存された画像データは、画像処理部２８０によって色補正処理等を施された後、圧縮伸張部２９０による圧縮処理等が施される。
【００６８】
また、指向性マイク３００から得られる環境音などの音声信号は、音声処理部３１０に入力される。音声処理部３１０に入力された音声信号は、音声処理部３１０内に設けられたＡ／Ｄ変換器（図示省略）により、デジタル信号に変換され、一時的にＲＡＭ２６０に格納される。デジタル化された音声信号は、再び音声処理部３１０に送り、スピーカ３２０から再生可能である。
【００６９】
操作部３３０は、電源ボタン３３０Ａ、各種の操作ボタン３３０Ｂ、シャッタレリーズボタン３３０Ｃ等を含み、ユーザがデジタルカメラ１００の設定を変更操作する際や撮像操作を行う際等に用いられる。
【００７０】
電源装置３４０は、デジタルカメラ１００に対する電源供給源である。これはリチウムイオン電池などの二次電池を用いてよい。
【００７１】
ＣＰＵ２５０は、ＲＡＭ２６０およびＲＯＭ（Read Only Memory）３５０に記録された所定のプログラムを実行することにより、上記各部を統括的に制御する。なお、ＲＡＭ２６０は、高速アクセス可能な半導体メモリであり、ＲＯＭ３５０は電気的に書き換えが不可能な不揮発の半導体メモリ（例えばフラッシュＲＯＭ）として構成される。
【００７２】
ＣＰＵ２５０の各処理部２８０、２９０、３１０は、マイクロコンピュータが所定のプログラムを実行することにより実現される、機能部位である。
【００７３】
画像処理部２８０は、ＷＢ（ホワイトバランス）処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。圧縮伸張部２９０は、画像処理部２８０によって色補正処理等が行われた画像データを、さらに圧縮する。圧縮方式としては、例えばＪＰＥＧ（Joint Photographic Experts Group）方式などが採用される。音声処理部３１０は、音声データに対する各種のデジタル処理を施す処理部である。
【００７４】
このような構成を有するＣＰＵ２５０によって、撮像モード、再生モードの処理が行われる。例えば、撮像モードにおいては、まず撮像部２２０をビューファインダ（ＬＣＤ３８０）画像出力用の動作モードに設定した上で所定周期（例えば３０コマ／秒）の撮像を行い、撮像に応じた画像データを逐次出力する（予備撮像）。撮像部２２０から出力された画像データは、アナログ信号処理回路２３０、Ａ／Ｄ変換器２４０、画像処理部２８０を介してＬＣＤ３８０にビューファインダ画像として表示される。この状態で、シャッタレリーズボタン３３０Ｃがユーザによって半押し（Ｓ１状態）されると、ＣＰＵ２５０は、撮像部２２０から入力される予備撮像の画像データに基づき、ＡＥ（Auto Exposure）評価値およびＡＦ（Auto Focus）評価値を求める。ＣＰＵ２５０はＡＦ評価値に基づいて合焦位置を、公知の例えば山登り方式によって求め、ＡＥ／ＡＦ部３６０を用いて、合焦位置に構成レンズ１０２Ａ〜１０２Ｆを移動させる。また、ＣＰＵ２５０はＡＥ評価値に基づいて、本撮像時のシャッタスピード（撮像部２２０における電荷蓄積時間）、撮像レンズ２１０の絞り値およびアナログ信号処理回路２３０におけるオートゲインコントロールのゲイン値を決定する。
【００７５】
ＣＰＵ２５０は、撮像モードにおいてシャッタレリーズボタン３３０Ｃが全押し（本撮像。Ｓ２状態）されると、撮像部２２０の動作モードを本撮像用の動作モードに設定した上で被写体を撮像し、撮像部２２０で取得された撮像画像データに基づき、圧縮伸張部２９０で圧縮画像を生成する。そして、圧縮された高解像度の画像データは、記録媒体３７０に記録される。記録媒体３７０は例えばＳＤカード（登録商標）としてよい。
【００７６】
さらに、ＣＰＵ２５０は、記録媒体３７０から、デジタルカメラ１００で動作するプログラムを取り込むことも可能である。例えば、記録媒体３７０に記録されている制御プログラムを、ＲＡＭ２６０またはＲＯＭ３５０内に取り込むことができる。これにより、制御プログラムを更新することも可能である。
【００７７】
ＬＣＤ３８０は、被写界を表示するほか、ユーザに対する各種メニューを表示し、操作のための情報を提供する表示装置である。フラッシュ３９０は、発光が許可されている状態で撮影補助光を発して被写体を照射する発光装置である。
【００７８】
（第２の実施形態：レンズ情報表示プログラム）
図９は、本発明の第２の実施形態であるプログラムを読み取り、実行するコンピュータのブロック図である。
【００７９】
このプログラム４５０をコンピュータ５００に実行させると、コンピュータ５００は、記録媒体３７０に書き込まれた、例えばＥｘｉｆ（Exchangeable Image File Format）ファイル５０１などの画像ファイルに含まれる、画像の撮像に使用された交換レンズ（例えば交換レンズ１０２）の少なくとも型名を含むレンズ情報を読み取る画像ファイル読取部５０２と、複数の交換レンズの型名と、交換レンズおよび構成レンズの外観を示すレンズ画像データとを対応させて記録する記録部５０４と、記録部５０４を参照して、読み取られた型名に対応する交換レンズ１０２の画像を、表示装置５０６に表示するＰＣ表示制御部５０８（機能は、実質的に、表示制御部１１０と同様）として機能する。画像ファイル読取部５０２およびＰＣ表示制御部５０８は、ＣＰＵ５０９内にて実現される。
【００８０】
上記の構成によれば、デジタルカメラ１００で撮像した画像をコンピュータ５００で鑑賞する場合に、その画像の撮像に使用した交換レンズ１０２の画像をコンピュータ５００上で併せて視認でき、興趣性を高めることができる。
【００８１】
（第３の実施形態：レンズ情報表示システム）
図１０は、本発明の第３の実施形態であるプログラムを読み取り、実行するコンピュータ６００を含めたレンズ情報表示システム７００の構成図である。このプログラム５５０をコンピュータ６００に実行させると、コンピュータ６００は、画像ファイルに含まれる、画像の撮像に使用された交換レンズ（例えば交換レンズ１０２）の少なくとも型名を含むレンズ情報を読み取る画像ファイル読取部５０２と、複数の交換レンズの型名と、交換レンズおよび構成レンズの外観を示すレンズ画像データとを対応させて記録する、インターネットなどの通信ネットワーク５０９上のサーバ５１０から、読み取られた型名に対応する交換レンズ１０２のレンズ画像データを取得するレンズ画像データ取得部５１２と、読み取られた型名に対応する交換レンズの画像を表示装置に表示するＰＣ表示制御部５０８として機能する。
【００８２】
上記の構成によっても、デジタルカメラ１００で撮像した画像をコンピュータ６００で鑑賞する場合に、その画像の撮像に使用した交換レンズ１０２のレンズ画像をサーバ５１０から取得することで、コンピュータ６００上で併せて視認でき、興趣性を高めることができる。
【００８３】
本明細書の実施形態では、デジタルカメラ１００は、デジタル一眼レフカメラであることを想定しているが、本発明は、レンズ交換が可能なあらゆるデジタルカメラに適用可能である。
【００８４】
また、レンズ情報として撮影距離を加味してもよい。合焦動作により構成レンズ１０２Ａ〜１０２Ｆが移動するが、この結果に基づいてレンズ情報を表示する。また交換レンズごとに最短撮影距離が決まっているが、交換可能レンズを表示する際には、撮影距離も考慮して可否判断を行う。
【００８５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８６】
本発明は、レンズ交換可能なデジタルカメラ、および、画像再生装置で実行されるプログラムに利用することができる。
【符号の説明】
【００８７】
１００  …デジタルカメラ、１０２、１０３、１０５  …交換レンズ、１０２Ａ〜１０２Ｆ  …構成レンズ、１０４  …マイクロプロセッサ、１０６  …レンズＲＯＭ、１０７  …超音波モータ、１０８  …レンズ情報読出部、１１０  …表示制御部、１１２  …レンズ位置検出部、１１４  …焦点距離重複検出部、１１６  …レンズ良否判定部、１１８  …レンズ選択部、１２０  …レンズ情報書込部、２２０  …撮像部、２３０  …アナログ信号処理回路、２４０  …Ａ／Ｄ変換器、２５０、５０９  …ＣＰＵ、２６０  …ＲＡＭ、２７０  …所有交換レンズリスト、２８０  …画像処理部、２９０  …圧縮伸張部、３００  …指向性マイク、３１０  …音声処理部、３２０  …スピーカ、３３０  …操作部、３３０Ａ  …電源ボタン、３３０Ｂ  …操作ボタン、３３０Ｃ  …シャッタレリーズボタン、３４０  …電源装置、３５０  …ＲＯＭ、３６０  …ＡＥ／ＡＦ部、３７０  …記録媒体、３８０  …ＬＣＤ、３９０  …フラッシュ、４００  …ファインダ、５０   …交換レンズ、５００、６００  …コンピュータ、５０１  …Ｅｘｉｆファイル、５０２  …画像ファイル読取部、５０３  …テーブル、５０４  …記録部、５０５  …レンズ画像データ、５０６  …表示装置、５０８  …ＰＣ表示制御部、５１０  …サーバ、５１２  …レンズ画像データ取得部、７００  …レンズ情報表示システム
【図１】
2010181725.tif 000003
【図２】
2010181725.tif 000004
【図３】
2010181725.tif 000005
【図４】
2010181725.tif 000006
【図５】
2010181725.tif 000007
【図６】
2010181725.tif 000008
【図７】
2010181725.tif 000009
【図８】
2010181725.tif 000010
【図９】
2010181725.tif 000011
【図１０】
2010181725.tif 000012